(57)【要約】【課題】  ドライバーまたは釘抜きなどによって前扉と内枠との間がこじ開けられたときを、確実に検出することができるパチンコ機を提供する。【解決手段】  パチンコ機１の前扉４を閉扉するための公知の扉開閉装置８に、可撓性を有する鉤状の第２係合部３７ａ，３７ｂを付加し、この第２係合部３７ａ，３７ｂに金属抵抗歪ゲージ７２を取付ける。第２係合部３７ａ，３７ｂは、シリンダ錠３２の回動に連動して、係止用の前扉係合部１１ａ，１１ｂとともに前扉４に係脱する。第２係合部３７ａ，３７ｂに設けられた金属抵抗歪ゲージ７２を用いて歪を測定することによって、前扉４と内枠３との間がこじ開けられて、前扉４と内枠３とが相対的に離間するときを検出することができる。【選択図】      図１
2008125767.tif 000002
【特許請求の範囲】
【請求項１】
遊技盤が設けられた内枠と、前記遊技盤に形成された遊技領域を覆う透明窓部を有し、前記内枠に一側部が開閉可能に軸支された前扉と、前記前扉および内枠のうちいずれか一方に設けられ、前記前扉が内枠に対して閉じられた状態で前扉および内枠のうちいずれか他方に係合可能な第１係合部を有し、この第１係合部が前記他方に係合することによって、前記一方を前記他方にロックするロック手段とを備えるパチンコ機において、
前記ロック手段に備えられ、可撓性を有し、前記第１係合部とは異なる位置で前記一方に設けられる第２係合部であって、前記第１係合部に連動して前記他方に係合可能な第２係合部と、
前記第２係合部に設けられ、前記内枠と前記前扉とが相対的に離間する方向の変位によって発生する歪を検出する歪検出素子と、
前記歪検出素子からの出力に基づいて、この出力が予め定める判定基準を満たしたとき、報知のための信号を出力する判定手段とを含むことを特徴とするパチンコ機。
【発明の詳細な説明】
【技術分野】
【０００１】
本発明は、不正行為を検出する不正検出手段を備えたパチンコ機に関する。
【背景技術】
【０００２】
パチンコ機では、島設備に取付けられた正面視して長方形状の外枠に対して、遊技盤の設けられた内枠が、左側部に設けられた上下一対のヒンジ部を介して開閉自在に軸支され、さらにこの内枠に対してガラス窓部の設けられた前扉が、左側部に設けられた上下一対のヒンジ部を介して開閉自在に軸支された構造をしている。そしてパチンコ機の遊技領域は、前記遊技盤の前扉側に設けられ、この遊技領域を覆う位置に前扉のガラス窓部が配置される。また前扉の下方には、払い出された賞球を受けるための上皿および下皿が取付けられている。これら前扉および内枠を閉鎖して施錠するために、ヒンジ部と反対側の右側部に扉開閉装置が設けられ、前扉および内枠のうちいずれか一方が他方に係合される。
【０００３】
上記構成のパチンコ機に対する不正行為の１つとして、前扉と内枠との間をドライバーまたは釘抜きなどを用いてこじ開けて、ピアノ線などを遊技領域に挿入し、始動入賞口の直上にある一対の入賞率調整用のへそ釘を傾けたり、大入賞口の前面に設けられる開閉扉を開放したりして、遊技球の入賞確率を増加させる行為がある。
【０００４】
このように前扉と内枠との間がこじ開けられる場合を検知可能な技術として、荷重検出素子によってパチンコ機の前扉および内枠の開閉を検知する技術が公知である（たとえば特許文献１参照）。特許文献１に記載される従来技術では、内枠を貫通するように荷重検出素子が設けられ、この荷重検出素子と前扉および外枠との間にそれぞれ弾性部材が設けられている。そして、前扉および内枠を閉じたときには、荷重検出素子が弾性部材によって常時加圧される。荷重検出素子は、たとえば、弾性部材を両面に装着した被加圧部材と、被加圧部材およびその周りの固定部材間に介在する抵抗体歪ゲージとによって構成される。
【０００５】
【特許文献１】特開２００１−３２３７２２号公報
【発明の開示】
【発明が解決しようとする課題】
【０００６】
特許文献１に記載される抵抗体歪ゲージを用いた荷重検出素子を使用すれば、前扉と内枠との間がこじ開けられた場合に被加圧部材に生じるわずかな荷重の変化を検出することができるので、不正行為の有無を判定することが可能である。しかしながら、上記荷重検出素子は、前扉および内枠が閉鎖されたときには常時加圧されることになるので、この荷重検出素子に用いられる抵抗体歪ゲージは疲労による劣化が著しい。したがって、抵抗体歪ゲージを頻繁に校正したり交換したりする必要があり、コスト高および信頼性の低下を招く。
【０００７】
本発明の目的は、ドライバーまたは釘抜きなどによって前扉と内枠との間が不正にこじ開けられたときを、簡便かつ確実に検出することができるパチンコ機を提供することである。
【課題を解決するための手段】
【０００８】
本発明は、遊技盤が設けられた内枠と、前記遊技盤に形成された遊技領域を覆う透明窓部を有し、前記内枠に一側部が開閉可能に軸支された前扉と、前記前扉および内枠のうちいずれか一方に設けられ、前記前扉が内枠に対して閉じられた状態で前扉および内枠のうちいずれか他方に係合可能な第１係合部を有し、この第１係合部が前記他方に係合することによって、前記一方を前記他方にロックするロック手段とを備えるパチンコ機において、
前記ロック手段に備えられ、可撓性を有し、前記第１係合部とは異なる位置で前記一方に設けられる第２係合部であって、前記第１係合部に連動して前記他方に係合可能な第２係合部と、
前記第２係合部に設けられ、前記内枠と前記前扉とが相対的に離間する方向の変位によって発生する歪を検出する歪検出素子と、
前記歪検出素子からの出力に基づいて、この出力が予め定める判定基準を満たしたとき、報知のための信号を出力する判定手段とを含むことを特徴とするパチンコ機である。
【発明の効果】
【０００９】
本発明によれば、前扉を閉扉してロックするためのロック手段には、第１係合部と、第１係合部に連動し、可撓性を有する第２係合部とが設けられる。第２係合部には歪検出素子が設けられ、前扉と内枠とが相対的に離間する方向の変位によって発生する歪が検出される。このように前扉と内枠との間を連結する第２係合部に歪検出素子を設けたのは、以下に示す理由によって、前扉と内枠との間が不正にこじ開けられたときを検出するために好適と考えられるからである。
【００１０】
前扉と内枠との間がドライバーなどによって不正にこじ開けられる場合には、前扉を構成する部材および内枠を構成する部材の少なくとも一方に撓みが生じるとともに、前扉と内枠とが離間して隙間が生じる。この場合、不正行為を検知する方法として、撓みが生じる可能性のある前扉および内枠の両方に歪検出素子を設置して歪を検出する方法と、前扉と内枠とを連結する部材を設けてその連結部材に歪検出素子を設置して歪を検出する方法とが考えられる。前者の方法では、不正行為を精度良く確実に検知するためには前扉と内枠の両方の複数箇所に歪検出素子を設置する必要があるのに対して、後者の方法では前扉と内枠との連結部材に歪検出素子を設置すればよいので、より少数のセンサによって精度良く検知することが可能である。
【００１１】
しかしながら、連結部材を用いる方法では、前扉を開放する度毎に頻繁に、連結部材による前扉と内枠との連結を解除する必要が生じる。そこで本発明は、連結部材による前扉と内枠との係脱を簡便に行うために、パチンコ機のロック手段に歪検出用の第２係合部を設け、前扉と内枠とのロックに用いる第１係合部に連動するようにしたものである。このような構成にすれば、前扉が閉鎖され、第２係合部によって前扉と内枠とが係合された状態で、前扉と内枠との間がこじ開けられると、前扉と内枠とが離間して第２係合部に引張応力が作用し、その結果、第２係合部に生じた歪が歪検出素子によって検出される。第２係合部によって前扉と内枠との間が係合されただけでは、第２係合部には歪が生じないので、前述した特許文献１記載の技術と異なり、歪検出素子が著しく劣化することがない。
【００１２】
このように、本発明では、パチンコ機のロック手段に歪検出用の第２係合部を設けるという簡便な方法によって、ドライバーなどを用いて前扉と内枠との間をこじ開ける不正行為が行われたときを確実に検知することが可能になる。
【発明を実施するための最良の形態】
【００１３】
図１は、本発明の実施の一形態であるパチンコ機１において、前扉４が開いた状態での内枠３の外観を示す斜視図である。図２は、図１に示す本実施の形態のパチンコ機１で、内枠３が開いた状態での外枠２の外観を示す斜視図である。先ず、図１，２を参照して、本発明が適用されるパチンコ機１の構成の一例について説明する。
【００１４】
図２に示すように、パチンコ機１は島設備に固定するための木製で正面視して縦長の矩形状の外枠２を備え、この外枠２に対して合成樹脂製の内枠３が、左側部の上下に設けられる一対のヒンジ部３ａ，３ｂを介して開閉自在に取付けられている。内枠３の開口部のうち外枠２側には機構盤６が取付けられ、外枠２と反対側には遊技盤５が取付けられる。この遊技盤５には、多数の釘および入賞口などが配設された遊技領域（図示省略）が形成される。また機構盤６には、パチンコ機１を制御するためのマイクロプロセッサおよびＲＡＭ（Random Access Memory）などの制御用回路が設けられた制御基板（図示省略）が配設されている。
【００１５】
また図１に示すように、内枠３の上方寄りに合成樹脂製の前扉４が、左側部の上下に設けられる一対のヒンジ部４ａ，４ｂを介して開閉自在に取付けられている。この前扉４には、前記遊技領域を覆う位置に透明窓部としてのガラス窓部７が設けられる。ガラス窓部７にはアクリル板のように可視光を透過する透明部材を用いてもよい。また図示を省略しているが、前扉４の下方には、遊技球が入賞したときに払い出される賞球を受けるための上皿および下皿が内枠３に取付けられ、さらに前扉４の正面側から見て前扉４の右下隅には、遊技球の発射勢を調整するための調整ハンドルが内枠３に取付けられる。以下では、内枠３および前扉４が閉鎖された状態において、外枠２に対して前扉４側を前側または正面側といい、前扉４に対して外枠２側を後側または裏面側という。
【００１６】
これら外枠２、内枠３および前扉４は、ロック手段としての扉開閉装置８によって相互に係合されてロックされる。図２に示すように、扉開閉装置８は、裏面側から見て内枠３の左側部に設けられ、正面側に突出する上下一対の鉤状の前扉係合部１１ａ，１１ｂと、裏面側に突出する上下一対の鉤状の外枠係合部１２ａ，１２ｂとを有する。前扉係合部１１ａ，１１ｂが前記第１係合部に対応する。さらに本実施の形態では、不正行為を検出するために、正面側に突出する２個の鉤状の第２係合部３７ａ，３７ｂが設けられる。第２係合部３７ａ，３７ｂは、合成樹脂板などの可撓性のある材料で形成され、その表面に金属抵抗歪ゲージ７２が設けられる。第２係合部３７ａ，３７ｂおよび金属抵抗歪ゲージ７２の詳細については後述する。
【００１７】
図２に示すように、外枠２のうち各外枠係合部１２ａ，１２ｂと対応する位置には、各外枠係合部１２ａ，１２ｂを係脱自在に係合させるための上下一対の外枠被係合部１３ａ，１３ｂが取付けられている。また図１に示すように、裏面側から見て前扉４の左側部には、板状の前扉固定部材３０が固着され、この前扉固定部材３０上で、前記前扉係合部１１ａ，１１ｂに対応する位置に、各前扉係合部１１ａ，１１ｂを係脱自在に係合させるための上下一対の前扉被係合部３１ａ，３１ｂが設けられている。また、前扉固定部材３０上で各第２係合部３７ａ，３７ｂに対応する位置に、各第２係合部３７ａ，３７ｂを係脱自在に係合させるための第２被係合部３８ａ，３８ｂが形成される。また、前扉固定部材３０の上下方向のほぼ中央には、シリンダ錠３２が鍵穴を正面側に突出して設置されている。第２係合部３７ａ，３７ｂ以外の扉開閉装置８、前扉固定部材３０、各前扉被係合部３１ａ，３１ｂ、第２被係合部３８ａ，３８ｂおよび外枠被係合部１３ａ，１３ｂは、金属板または硬質合成樹脂板を用いて形成される。ここで、前扉４と内枠３とを係止するための係止手段は、基本的構成として扉開閉装置８と前扉被係合部３１ａ，３１ｂとを含み、さらに第２係合部３７ａ，３７ｂおよび第２被係合部３８ａ，３８ｂを含む。
【００１８】
このように構成されるパチンコ機１に対する不正行為の１つとして、ドライバーまたは釘抜きなどの道具を用いる行為がある。具体的には、不正行為者は、前扉４と内枠３との間をドライバーまたは釘抜きなどの道具を用いてこじ開けて、生じた隙間からピアノ線などの針金部材またはアクリル板などの合成樹脂の薄板を挿入する。そして、挿入したピアノ線などによって、たとえば始動入賞孔の直上にある一対の入賞率調整用のへそ釘の傾きを変えたり、大入賞口の前面に設けられた開閉扉を開放させたりして、不正に賞球を獲得する。このような不正行為を防止するためには、不正行為の最初の段階である、前扉４と内枠３との間をドライバーなどによってこじ開けられたことを検出するのが、不正行為を未然に防止できるので効果的である。
【００１９】
閉扉された前扉４と内枠３との間がドライバーなどを用いてこじ開けられた場合、前扉４および内枠３のうち少なくとも一方を構成する部材に撓みが生じるとともに、前扉４と内枠３とが離間して隙間が生じる。この場合に不正行為を検知する方法として、撓みが生じる可能性のある前扉４および内枠３の両方に歪検出素子を設置して歪を検出する方法と、前扉４と内枠３とを連結する部材を設けてその連結部材に歪検出素子を設置して歪を検出する方法とが考えられる。前者の方法で不正行為を確実に検知するには、前扉４と内枠３との両方の複数箇所に歪検出素子を設置する必要があるのに対して、後者の方法では前扉４と内枠３とを連結する部材に歪検出素子を設置すればよいので、より少数のセンサによって精度良く検知することが可能である。しかし、連結部材を用いる方法では、前扉４を開放する度毎に連結部材による前扉４と内枠３との連結を解除する必要が生じる。
【００２０】
そこで、本実施の形態では、不正検出手段として、公知の扉開閉装置（たとえば特開平１０−３０９３６３参照）に、歪検出素子が設けられた第２係合部３７ａ，３７ｂを付加して扉開閉装置８を構成する。第２係合部３７ａ，３７ｂは、前扉係合部１１ａ，１１ｂと連動して前扉４の第２被係合部３８ａ，３８ｂに係脱するので、簡便な構成が実現される。以下では、先ず本実施の形態で用いられる歪検出素子について説明し、次に第２係合部３７ａ，３７ｂが付加された扉開閉装置８の構成について説明し、その次に、第２係合部３７ａ，３７ｂの形状、ならびに歪検出素子の取付け位置などについて説明する。
【００２１】
図３は、本実施の形態で用いられる歪検出素子の原理を説明するための説明図である。また図４は、本実施の形態で用いられる歪検出素子の構成の一例を示す正面図である。
【００２２】
本実施の形態で用いられる歪検出素子は、所定の検出方向への単位長さあたりの伸びまたは縮みを検出する素子をいう。具体的には、フィルム状の絶縁物に形成された金属薄膜を利用して金属抵抗の変化を測定する金属抵抗歪ゲージ、およびシリコンなどの半導体の抵抗を利用した半導体歪ゲージを例示することができる。
【００２３】
歪検出素子の原理について図３を用いて説明する。図３において長さＬの棒状の材料７０の両端に引張力Ｐが作用して、長さがΔＬだけ増加し、Ｌ＋ΔＬに変形したとする。このときの長さの増分ΔＬと元の長さＬとの比の値εを歪という。この歪εの大きさは材料７０の抵抗を測定することによって検出することができる。具体的には、図３において、長さＬの材料７０の長さ方向に電流を流したときの抵抗をＲとし、引張力Ｐによって長さがＬ＋ΔＬに伸張したときの材料７０の抵抗がΔＲだけ増加して、Ｒ＋ΔＲに変化したとすると、発生した歪に対応した抵抗変化と歪との関係は次式（１）のように表される。式（１）において、Ｋはゲージ率と呼ばれる定数であり、材料７０によって決まる。なお、式（１）において、長さの増分ΔＬが負の場合、すなわち材料Ｌが長さ方向に縮んだ場合には、抵抗の増分ΔＲは負になり、歪εも負になる。
【００２４】
【数１】
2008125767.tif 000003
【００２５】
図４に示した歪検出素子は、単軸の金属抵抗歪ゲージ７２であり、図４の左右方向に高い検出感度を有する。検出感度が高い図４の左右方向を歪検出方向ｘということにする。金属抵抗歪ゲージ７２は歪を測定を行う箇所に接着剤を用いて貼り付けられて使用される。
【００２６】
図４において、金属抵抗歪ゲージ７２は、薄い電機絶縁物のベース７３と、そのベース７３表面上に形成される、つづら折状に多数回折り返された線状の金属配線パターン７４とを備える。金属配線パターン７４は金属箔をエッチングして形成される。具体的には、金属配線パターン７４は、歪検出方向ｘに延びる直線状パターンが互いに平行に複数本並んだ検出部７４ａと、検出部７４ａの歪検出方向ｘの両端部に設けられる折り返し部７４ｂとを含み、検出部７４ａの歪検出方向ｘの長さは、各直線状パターン間の間隔よりも長い。そして、検出部７４ａに形成される直線状パターンが歪検出方向ｘに伸縮することによって生じる抵抗の変化を検出することにより歪測定が行われる。さらに図４の金属抵抗歪ゲージ７２には、金属配線パターン７４の両端に形成された電極パッド７５と、各電極パッド７５に接続されている引出線７６とが設けられている。引出線７６は、後述する図７において説明する歪検出回路９０に接続される。
【００２７】
図５は、図１，２に示す本実施の形態のパチンコ機１において、扉開閉装置８の外観を示す斜視図である。扉開閉装置８は、内枠３の裏面側の左側部に固着された内枠支持部材１６と、内枠支持部材１６に対して上下方向にスライドできるように設けられた前扉操作杆１８および内枠操作杆２０とを含んで構成される。
【００２８】
前扉操作杆１８は、縦長の板状部材であり、長手方向の両端部には、幅方向に突出する前述の前扉係合部１１ａ，１１ｂが設けられている。また長手方向の中央付近には、後述するカム３３の第１カム係合部３４が係合する第１カム被係合部２４が形成される。さらに本実施の形態では、上端部の前扉係合部１１ａよりも下方寄りの位置、および下端部の前扉係合部１１ｂよりも上方寄りの位置に、第２係合部３７ａ，３７ｂがそれぞれ設けられる。各第２係合部３７ａ，３７ｂは、前記前扉係合部１１ａ，１１ｂと同方向に突出する。ここで、歪検出用の各第２係合部３７ａ，３７ｂが、前扉操作杆１８の両端部に設けられた前扉係合部１１ａ，１１ｂよりも、前扉操作杆１８の長手方向中央寄りに配置される理由は、不正行為者がドライバーなどを挿し込む位置が各前扉係合部１１ａ，１１ｂの間であることを考慮したからである。なお、第２係合部３７ａ，３７ｂの形状の詳細については、図６に関連して後述する。
【００２９】
内枠操作杆２０は、前扉操作杆１８と同様に縦長の板状部材であり、長手方向の両端部には、幅方向に突出する前述の外枠係合部１２ａ，１２ｂが設けられている。また長手方向の中央付近に、後述するカム３３の第２カム係合部３５が係合する第２カム被係合部２５と、前扉４の開放後にさらに内枠３を開放するために用いられる内枠開放レバー２６とが設けられる。
【００３０】
内枠支持部材１６は、断面Ｌ字状に形成され、内枠３の裏面側から見て左側部に固定される固定片１６ａと、固定片１６ａの幅方向の一端から直角に形成された案内片１６ｂとを含んで構成される。固定片１６ａには、前扉操作杆１８および内枠操作杆２０をスライド可能に保持するための複数の案内突片２１が形成されている。具体的には、案内片１６ｂに前扉操作杆１８、内枠操作杆２０の順に重ねられ、案内突片２１によってガイドされることによって、内枠支持部材１６に沿う方向に前扉操作杆１８および内枠操作杆２０がスライド可能になっている。固定片１６ａと、前扉操作杆１８および内枠操作杆２０との間には、ばね２２，２３がそれぞれ設けられていて、前扉操作杆１８および内枠操作杆２０は鉛直上方に付勢される。
【００３１】
内枠支持部材１６の上端部には上下方向に細長い形状の溝部２７が形成される。また、内枠支持部材１６の上端寄りの位置から順に、上下方向に細長い第１長孔部２８と第２長孔部３９と第３長孔部２９とがそれぞれ形成される。溝部２７は、各前扉係合部１１ａおよび各第２係合部３７ａのうち、内枠支持部材１６の上端側の前扉係合部１１ａと第２係合部３７ａとをパチンコ機１の正面側に突出させるために設けられ、第１長孔部２８は、第１カム被係合部２４と第２カム被係合部２５と内枠開放レバー２６とを正面側に突出させるために設けられ、第２長孔部３９は、下端側の第２係合部３７ｂを正面側に突出するために設けられ、また第３長孔部２９は、下端側の前扉係合部１１ｂを正面側に突出するために設けられる。前扉４または内枠３を開放させるときに、前扉操作杆１８または内枠操作杆２０は常態より押し下げられるので、溝部２７、第１長孔部２８、第２長孔部３９および第３長孔部２９は、下方に長く設けられている。
【００３２】
図５に示すように、前扉４に固着されたシリンダ錠３２の後側には、シリンダ錠３２の回動軸３６を中心に回動可能なカム３３が設けられている。カム３３には、正面視して左側に第１カム係合部３４が形成され、右側に第２カム係合部３５が形成される。第１カム係合部３４は、回動軸３６に垂直方向に延設され、前述した前扉操作杆１８の第１カム被係合部２４に当接する。シリンダ錠３２が反時計回り、すなわち第１カム係合部３４が下向きに回動されると、第１カム被係合部２４を介して前扉操作杆１８が下方に押されて、前扉操作杆１８は、ばね２２に抗して下方にスライドする。この結果、前扉係合部１１ａ，１１ｂと前扉被係合部３１ａ，３１ｂとの係合、および第２係合部３７ａ，３７ｂと第２被係合部３８ａ，３８ｂとの係合が解除され、前扉４が開放される。また第２カム係合部３５は、回動軸３６に平行方向に延設され、前述した内枠操作杆２０の第２カム被係合部２５に当接する。シリンダ錠３２が時計回り、すなわち第２カム係合部３５が下向きに回動されると、第２カム被係合部２５を介して内枠操作杆２０が下方に押されて、内枠操作杆２０は、ばね２３に抗して下方にスライドする。この結果、外枠係合部１２ａ，１２ｂと外枠被係合部１３ａ，１３ｂとの係合が解除され、内枠３が開放される。なお、前扉４の開放後に内枠３を開放することは、内枠開放レバー２６を下方に手で押して、内枠操作杆２０がばね２３に抗して下方にスライドさせると可能になる。このように、公知の扉開閉装置に第２係合部３７ａ，３７ｂを付加するという簡単かつ安価な構成によって、シリンダ錠３２のカム３３の回動、およびそれに伴う前扉操作杆１８の上下方向のスライドに連動して、歪検出用の第２係合部３７ａ，３７ｂを前扉４の第２被係合部３８ａ，３８ｂに係脱させることができる。
【００３３】
図６は、前扉４が閉扉しているときに、第２係合部３７ａが第２被係合部３８ａに係合している状態を模式的に示す断面図である。図６において、前扉４および前扉固定部材３０の厚み方向をＸ方向ということにし、紙面に垂直な方向をＹ方向ということにし、Ｘ方向およびＹ方向に垂直な方向をＺ方向ということにする。Ｘ方向は、パチンコ機１の前扉４側から外枠２側へ、または外枠２側から前扉４側へ向かう前後方向に対応し、Ｙ方向はパチンコ機１を正面側から見たときの左右方向に対応し、Ｚ方向は鉛直方向に対応する。
【００３４】
第２係合部３７ａは、厚み方向がＹ方向に一致する板状の部材であり、その基端部４１は前扉操作杆１８に接続され、その先端部４２はＸ方向の前側に突出している。第２係合部３７ａの基端部４１と先端部４２との間の中間部４３には、Ｚ方向の上方から下方に向けて切り欠き部４４が形成される。切り欠き部４４は第２被係合部３８ａに係合する部位である。前述のとおり、前扉４と内枠３との間が不正にこじ開けられた場合には、前扉４と内枠３とが離間するので、前扉操作杆１８は、相対的にＸ方向の後方に変位する。この結果、第２係合部３７ａの切り欠き部４４のうちＸ方向前方側の部分４５が第２被係合部３８ａに当接し、この当接部分４５と基端部４１との間に引張応力が作用する。したがって、引張応力の方向はＸ方向にほぼ一致する。この引張応力によって第２係合部３７ａに生じる歪を精度良く検出するために、当接部分４５と基端部４１との間の位置で、歪検出方向ｘがＸ方向に一致するように金属抵抗歪ゲージ７２が取付けられる。この金属抵抗歪ゲージ７２は、機構盤６に設けられた制御基板(図示省略）の後述する歪検出回路９０に電気配線（図示省略）を介して接続される。ここで、前扉４が閉鎖されて第２係合部３７ａが第２被係合部３８ａに係合するだけでは、第２係合部３７ａに引張応力が生じないので歪も生じない。前扉４と内枠３との間をこじ開ける不正行為が行われて、はじめて第２係合部３７ａに歪が生じてその歪が金属抵抗歪ゲージ７２によって検出される。したがって、本実施の形態では、前述した特許文献１記載の技術と異なり、金属抵抗歪ゲージ７２に常時、歪が生じることがないので、金属抵抗歪ゲージ７２が著しく劣化することがない。
【００３５】
図７は、本実施の形態のパチンコ機１における歪検出回路９０の構成を示すブロック図である。
【００３６】
本実施の形態のパチンコ機１の不正検出装置の歪検出回路９０は、前述した金属抵抗歪ゲージ７２、および第１〜第３抵抗体９１〜９３によって構成されるホイートストンブリッジと、ホイートストンブリッジへの入力電圧Ｖｃｃを印加するための直流電源９４と、ホイートストンブリッジからの出力電圧を増幅する差動増幅器９５と、入力電圧Ｖｃｃおよび増幅された出力電圧をデジタル変換するためのＡ／Ｄ変換器（アナログ／デジタル変換器）９６，９７と、デジタル化された入力電圧Ｖｃｃおよび出力電圧から歪εを計算するマイクロコンピュータ９８とを含んで構成される。マイクロコンピュータ９８は、図示を省略したマイクロプロセッサ、ＲＡＭ（Random Access Memory）およびＲＯＭ
（Read Only Memory）などを備える。これらの歪検出回路９０の各構成要素は金属抵抗歪ゲージ７２を除いて機構盤６に設けられた制御基板上に配置される。
【００３７】
ここで、金属抵抗歪ゲージ７２と各抵抗体９１〜９３によって構成されるホイートストンブリッジの接続関係について具体的に説明すると、先ず、第１抵抗体９１および第２抵抗体９２の各一端部に直流電源９４が接続されて正電圧Ｖｃｃが入力される。そして、第１抵抗体９１の他端部には、一端部が接地された金属抵抗歪ゲージ７２の他端部が接続され、第２抵抗体９２の他端部には、一端部が接地された第３抵抗体９３の他端部が接続される。このような接続によって、第１抵抗体９１および金属抵抗歪ゲージ７２間に生じた電位をＶａとし、第２抵抗体９２および第３抵抗体９３間に生じた電位をＶｂとする。そうすると、差動増幅器９５には、ホイートストンブリッジからの出力電圧として電位差ΔＶ＝Ｖａ−Ｖｂが入力され、増幅された出力電圧ΔＶはマイクロコンピュータ９８に入力されることになる。
【００３８】
次に、図７に示した歪検出回路９０を用いた歪εの測定原理について説明する。
第１〜第３抵抗体９１〜９３の各抵抗値、および歪εが生じていない状態での金属抵抗歪ゲージ７２の抵抗値をそれぞれＲ［Ω］とし、金属抵抗歪ゲージ７２に歪εが生じたときの抵抗の増分をΔＲ［Ω］とする。このとき前述した電位Ｖａ，Ｖｂの値、電位差ΔＶ＝Ｖａ−Ｖｂの値は次式で表される。
【００３９】
【数２】
2008125767.tif 000004
【００４０】
式（２）に式（１）を代入して、歪εについて解くと次式（３）が得られる。
【００４１】
【数３】
2008125767.tif 000005
【００４２】
式（３）から明らかなように、歪εは、ホイートストンブリッジへの入力電圧Ｖｃｃと、ホイートストンブリッジからの出力電圧ΔＶと、金属抵抗歪ゲージ７２のゲージ率Ｋとが与えられることによって計算することができる。図７に示す歪検出回路９０では、マイクロコンピュータ９８に予めゲージ率Ｋを記憶させ、入力電圧Ｖｃｃと出力電圧ΔＶをデジタル変換してマイクロコンピュータ９８に入力することによって、マイクロコンピュータ９８が式（３）に従った計算を行って歪εを求める。求められた歪εに基づいて、マイクロコンピュータ９８は、不正行為があったか否かを判定し、不正行為があったと判定した場合には報知のための信号を出力する。すなわちマイクロコンピュータ９８は判定手段として機能する。
【００４３】
ここで、不正行為者によって、金属抵抗歪ゲージ７２が破壊されて断線された場合には、Ｖａの値はＶｃｃに等しくなり、Ｖｂの値はＶｃｃ／２に等しくなる。したがって、出力電圧はΔＶ＝Ｖａ−Ｖｂ＝Ｖｃｃ／２となり、断線されていない場合よりもはるかに大きな値になるので、差動増幅器９５がオーバーフローすることになる。このことを利用して、出力電圧ΔＶが予め定める値以上になった場合を検知できるようにすれば、不正行為者によって、金属抵抗歪ゲージ７２が破壊された場合が判定可能になる。
【００４４】
次に、不正行為の有無の具体的な判定手順について説明する。
図８は、図７に示す歪検出回路９０を構成するマイクロコンピュータ９８によって不正行為の有無を判定する手順を示すフローチャートである。図８に示す手順は、パチンコ機１に電源を投入することによってスタートする。以下の手順は、特に断らない場合には、マイクロコンピュータ９８を構成するマイクロプロセッサによって実行される。また検出される歪は正と負の両方があるので、歪の大きさεは歪の絶対値を表すものとする。
【００４５】
ステップｓ１ではＲＯＭの記憶領域から歪の大きさの基準値εｓが読み出され、ＲＡＭの基準値記憶領域に記憶され、次のステップｓ２に移る。
【００４６】
ステップｓ２では、歪検出回路９０のホイートストンブリッジへの入力電圧Ｖｃｃと、およびホイートストンブリッジからの出力電圧ΔＶが差動増幅器９５によって増幅された値とが、Ａ／Ｄ変換器９６，９７によってデジタル変換される。その後、マイクロコンピュータ９８に入力されて、ＲＡＭの電圧記憶領域に記憶される。
【００４７】
次のステップｓ３では、ＲＡＭに記憶された入力電圧Ｖｃｃおよび出力電圧ΔＶから歪の大きさεが計算される。
【００４８】
次のステップｓ４では、マイクロプロセッサは、歪の大きさεが予め定める基準値εｓ以上であるかを判定する。歪の大きさεが基準値εｓ以上のときにはステップｓ５に進み、基準値εｓ未満のときにはステップｓ２に戻り、再び、歪検出回路９０のホイートストンブリッジへの入力電圧Ｖｃｃおよびホイートストンブリッジからの出力電圧ΔＶを測定する。
【００４９】
ステップｓ５では、不正があったことを音および光などで報知したり、パチンコホールの管理用のコンピュータに出力したりするために信号を出力する。以上で、不正行為の有無を判定する手順が終了する。
【００５０】
このようにマイクロプロセッサによって、予め定める基準値εｓ以上の歪の大きさの変化が生じたことが判定されるので、パチンコ機１を手で押さえるなどの不正行為と言えないような場合までが検出されることはない。したがって、本実施の形態のパチンコ機１によれば、誤検出を報知することによって遊技者に不快な思いをさせることが少ない。
【００５１】
上述の実施の形態は、本発明の例示に過ぎず、本発明の範囲内において構成を変更することができる。たとえば上述の実施の形態では、図１，２に示すように、前扉係合部１１ａ，１１ｂおよび第２係合部３７ａ，３７ｂは、内枠３に設けられた前扉操作杆１８から正面側に突出するように設けられ、前扉係合部１１ａ，１１ｂおよび第２係合部３７ａ，３７ｂによって、内枠３が前扉４に係合する。これとは逆に、前扉操作杆１８をスライド可能なように前扉４に取付けて、前扉係合部１１ａ，１１ｂおよび第２係合部３７ａ，３７ｂを前扉４に設けられた前扉操作杆１８から裏面側に突出するように形成し、前扉被係合部３１ａ，３１ｂおよび第２被係合部３８ａ，３８ｂを内枠３の正面側に設けてもよい。こうすると、前扉係合部１１ａ，１１ｂおよび第２係合部３７ａ，３７ｂによって、前扉４が内枠３に係合することになる。前扉係合部１１ａ，１１ｂおよび第２係合部３７ａ，３７ｂをこのように構成しても、上述した実施の形態と同様の作用効果を奏する。
【００５２】
また図７に示す歪検出回路９０では、簡単のために第１〜第３抵抗体９１〜９３の大きさを、歪のないときの金属抵抗歪ゲージ７２の抵抗値Ｒと同一にしたけれども、第１〜第３抵抗体９１〜９３の大きさをそれぞれＲ１、Ｒ２、Ｒ３として、金属抵抗歪ゲージ７２の抵抗値Ｒと異なる抵抗値にしてもよい。このような抵抗値の設定で、かつＲ１：Ｒ２＝Ｒ：Ｒ３の関係式を満たせば、金属抵抗歪ゲージ７２に歪がないときにはホイートストンブリッジブリッジの出力電圧ΔＶは０［Ｖ］になる。そして、金属抵抗歪ゲージ７２に歪εが生じて抵抗がΔＲ［Ω］だけ増加したときには、その抵抗の増分に応じた出力電圧ΔＶが得られるので、図７に関連して説明した場合と同様に歪の大きさを求めることができる。
【００５３】
また図８に示すフローチャートにおいて、長さの増分を元の長さで割った値である歪の大きさを基準にして、測定された歪と比較したけれども、歪を比較をせずに長さの増分をその長さの増分の基準値と比較しても同様の作用効果が得られる。
【００５４】
また図８に示すフローチャートにおいて、電源投入時の初期状態における歪の大きさε０を最初に測定しておき、ステップｓ４では、現在の歪の大きさεと初期歪の大きさε０との差分ε−ε０を求めて、歪の大きさの基準値εｓと比較してもよい。周囲温度の変化によって第１〜第３抵抗体９１〜９３の大きさが変動したり、差動増幅器９５がドリフトしたりして、金属抵抗歪ゲージ７２に歪が生じていない初期状態で出力電圧ΔＶに有限の値が生じる場合があり、このような場合に初期状態との差を求めることが精度の良い測定のために有効である。
【図面の簡単な説明】
【００５５】
【図１】本発明の実施の一形態であるパチンコ機１において、前扉４が開いた状態での内枠３の外観を示す斜視図である。
【図２】図１に示す本実施の形態のパチンコ機１で、内枠３が開いた状態での外枠２の外観を示す斜視図である。
【図３】本実施の形態で用いられる歪検出素子の原理を説明するための説明図である。
【図４】本実施の形態で用いられる歪検出素子の構成の一例を示す正面図である。
【図５】図１，２に示す本実施の形態のパチンコ機１において、扉開閉装置８の外観を示す斜視図である。
【図６】前扉４が閉扉しているときに、第２係合部３７ａが第２被係合部３８ａに係合している状態を模式的に示す断面図である。
【図７】本実施の形態のパチンコ機１における歪検出回路９０の構成を示すブロック図である。
【図８】図７に示す歪検出回路９０を構成するマイクロコンピュータ９８によって不正行為の有無を判定する手順を示すフローチャートである。
【符号の説明】
【００５６】
１  パチンコ機、  ２  外枠、  ３  内枠、  ３ａ，３ｂ，４ａ，４ｂ  ヒンジ部、  ４  前扉、  ５  遊技盤、  ６  機構盤、  ７  ガラス窓部、  ８  扉開閉装置、  １１ａ，１１ｂ  前扉係合部、  １２ａ，１２ｂ  外枠係合部、  １３ａ，１３ｂ  外枠被係合部、  ２４  第１カム被係合部、  ２５  第２カム被係合部、  ２６  内枠開放レバー、  ３１ａ，３１ｂ  前扉被係合部、  ３２  シリンダ錠、  ３３  カム、  ３４  第１カム係合部、  ３５  第２カム係合部、  ３７ａ，３７ｂ  第２係合部、  ３８ａ，３８ｂ  第２被係合部、  ７２  金属抵抗歪ゲージ、  ９０  歪検出回路
【図１】
2008125767.tif 000006
【図２】
2008125767.tif 000007
【図３】
2008125767.tif 000008
【図４】
2008125767.tif 000009
【図５】
2008125767.tif 000010
【図６】
2008125767.tif 000011
【図７】
2008125767.tif 000012
【図８】
2008125767.tif 000013